(57)【要約】【課題】  簡単な操作で、短い再生時間にて、直前に撮影した動画クリップの内容を確認可能にする。【解決手段】  本発明においては、動画像データを記録媒体に記録する記録手段と、前記記録媒体から前記動画像データを再生する再生手段と、前記記録媒体より直前に記録されたクリップの前記動画像データを再生するレビュー再生モードを指示する指示手段と、前記レビュー再生モードにおいて、前記直前に記録されたクリップの動画像データを複数の区間に分割し、前記複数の区間の動画像データを互いに異なる再生速度で再生するよう前記再生手段を制御する制御手段とを備える。【選択図】  図２
2006121583.tif 000002
【特許請求の範囲】
【請求項１】
動画像データを記録媒体に記録する記録手段と、
前記記録媒体から前記動画像データを再生する再生手段と、
前記記録媒体より直前に記録されたクリップの前記動画像データを再生するレビュー再生モードを指示する指示手段と、
前記レビュー再生モードにおいて、前記直前に記録されたクリップの動画像データを複数の区間に分割し、前記複数の区間の動画像データを互いに異なる再生速度で再生するよう前記再生手段を制御する制御手段とを備える記録再生装置。
【請求項２】
前記制御手段は、前記複数の区間のうち、記録停止位置に最も近い区間の動画像データを最も遅い再生速度で再生するよう前記再生手段を制御することを特徴とする請求項１記載の記録再生装置。
【請求項３】
前記制御手段は、前記記録停止位置に最も近い区間の動画像データを通常再生速度で再生し、その他の区間の動画像データを前記通常再生速度よりも速い再生速度で再生するよう前記再生手段を制御することを特徴とする請求項２記載の記録再生装置。
【請求項４】
前記制御手段は、前記複数の区間のうち、記録停止位置に最も近い第１の区間の長さをｎ秒以下とし、前記第１の区間の直前の第２の区間の長さをｍ秒（ｎ＜ｍ）以下とし、前記第２の区間の動画像データを前記第１の区間の動画像データよりも速く再生するよう前記再生手段を制御することを特徴とする請求項１記載の記録再生装置。
【請求項５】
前記制御手段は、前記第１の区間の長さと第２の区間の長さをそれぞれ前記直前に記録されたクリップの記録時間長に応じて決定することを特徴とする請求項４記載の記録再生装置。
【請求項６】
前記制御手段は、前記第２の区間の動画像データの再生速度を前記直前に記録されたクリップの記録時間長に応じて決定することを特徴とする請求項４記載の記録再生装置。
【請求項７】
前記制御手段は、前記第１の区間の動画像データを所定の速度で再生することを特徴とする請求項４〜６のいずれかに記載の記録再生装置。
【請求項８】
前記制御手段は、前記レビュー再生モードにおいて、前記第１の区間以外の区間の動画像データの再生中におけるスキップ指示に応じて、前記第１の区間の先頭位置まで再生位置をスキップすることを特徴とする請求項４〜７のいずれかに記載の記録再生装置。
【請求項９】
前記制御手段は、前記レビュー再生モードにおいて、前記直前のクリップの再生時間長が所定期間に収まるように前記複数の区間の再生速度を決定することを特徴とする請求項１記載の記録再生装置。
【請求項１０】
前記制御手段は、前記複数の区間のうち、記録停止位置に最も近いｎ個（２≦ｎ）の区間以外の区間の動画像データの再生を禁止することを特徴とする請求項１記載の記録再生装置。
【請求項１１】
前記制御手段は、前記複数の区間のうち、記録停止位置に最も近い第１の区間と、記録開始位置に最も近い第２の区間の動画像データをそれぞれ所定の再生速度で再生すると共に、前記第１の区間と第２の区間以外の区間を前記所定の再生速度よりも速い速度で再生するよう前記再生手段を制御することを特徴とする請求項１記載の記録再生装置。
【請求項１２】
前記制御手段は、前記第１の区間と第２の区間の動画像データをそれぞれ通常再生速度で再生するよう前記再生手段を制御することを特徴とする請求項１１記載の記録再生装置。
【請求項１３】
前記制御手段は、前記直前に記録されたクリップの記録時間長に応じて前記第１の区間と第２の区間以外の区間の再生速度を決定することを特徴とする請求項１２記載の記録再生装置。
【請求項１４】
前記制御手段は前記直前に記録されたクリップの記録時間長が所定値以下の場合、前記クリップを複数の区間に分割することなく、所定の再生速度で再生するよう前記再生手段を制御することを特徴とする請求項１記載の記録再生装置。
【請求項１５】
前記制御手段は、前記複数の区間のうち、記録停止位置に近い区間ほど遅い再生速度で再生するよう前記再生手段を制御することを特徴とする請求項１記載の記録再生装置。
【請求項１６】
被写体像を撮影して前記動画像データを出力する撮像手段を備えたことを特徴とする請求項１記載の記録再生装置。
【発明の詳細な説明】
【技術分野】
【０００１】
本発明は記録再生装置に関し、特に、直前に記録された画像を再生するレビュー機能に関する。
【背景技術】
【０００２】
従来、動画像を撮影して磁気テープに記録するビデオカメラが知られている。
【０００３】
ビデオカメラで撮影を行う場合、ユーザは、シーンごとのつながり等を考慮しながら撮影を続けるために、撮影を開始する前に、直前に撮影した画像を確認することが必要となる。
【０００４】
そのため、従来、ビデオカメラでは、撮影待機状態において直前に撮影した内容を確認するため、数秒程度の短時間だけテープを巻き戻して直前の撮影シーンを再生するレックレビューモードを設けている。
【０００５】
しかしながら、この場合、一度テープを巻き戻してから再生する必要があり、迅速に記録内容を確認することが出来ない。そこで、少しでも迅速に記録内容を確認するために、レビューに必要な部分の画像データを内蔵のメモリに取り込んでおき、レビュー再生時にはメモリに記憶された画像データを読み出して表示する提案がなされている（例えば、特許文献１参照）。
【０００６】
また、近年では、撮影した動画像データをデジタルデータとして光ディスクやメモリカードなどのランダムアクセス媒体に記録するビデオカメラ登場している。
【０００７】
この様にランダムアクセスメディアに動画像データを記録するタイプのビデオカメラでは、撮影開始から撮影終了までの一連の動画像データを一つのファイルとして記録する（動画クリップ）方式が一般的である。
【０００８】
この様にランダムアクセスメディアを使用した場合には、磁気テープと異なりレックレビュー時においてもテープを巻き戻す必要がないので、迅速にレビュー再生を行うことができる。
【特許文献１】特開２００１−０５７６６２
【発明の開示】
【発明が解決しようとする課題】
【０００９】
しかしながら、一般的な磁気テープ記録媒体とするビデオカメラにおいては、レビュー機能は最後の数秒を再生するだけであり、直前に撮影したシーンの一部しか確認できないため、それより前に撮影した画像の内容を確認することができないという問題点があった。
【００１０】
一方、ランダムアクセス可能なメディアを用いた場合には、磁気テープの様に巻き戻す必要がないため、最後に記録した動画クリップの先頭から迅速に再生することができる。
【００１１】
そのため、レビュー時に直前に撮影したクリップの先頭から再生することで、磁気テープを用いた場合に比べて短時間で最後に撮影したシーンの内容を全て確認することも可能になるが、最後に撮影した動画クリップの再生時間長が長い場合、一つのクリップの内容を全て確認するためには多くの時間を必要とする問題点があった。
【００１２】
本発明は前述の如き問題を解決し、簡単な操作で、短い再生時間にて、直前に撮影した動画クリップの内容を確認可能にすることを目的とする。
【課題を解決するための手段】
【００１３】
本発明においては、動画像データを記録媒体に記録する記録手段と、前記記録媒体から前記動画像データを再生する再生手段と、前記記録媒体より直前に記録されたクリップの前記動画像データを再生するレビュー再生モードを指示する指示手段と、前記レビュー再生モードにおいて、前記直前に記録されたクリップの動画像データを複数の区間に分割し、前記複数の区間の動画像データを互いに異なる再生速度で再生するよう前記再生手段を制御する制御手段とを備える。
【発明の効果】
【００１４】
以上、本発明の撮像手段を備えた動画記録再生装置では、レックレビューの再生方式として、記録経過時間に応じた所定の規則に基づいてフレームまたはフィールド画像を間引いて時間圧縮再生することで、直前に撮影した動画クリップのほぼ全容を、短い時間で確認することができる効果がある。さらに、ユーザ操作により、従来タイプの最後の数秒だけを一倍速で再生することも、レックレビューを中止して撮影スタンバイ状態に戻ることも容易に実現できるため、緊急に撮影チャンスが到来しても、撮影の機会を逃すことない効果もある。
【発明を実施するための最良の形態】
【００１５】
図１は本発明を適用したビデオカメラの構成を示すブロック図である。
【００１６】
図１のビデオカメラは、ＤＶＤなどの光ディスクに対して撮影した動画像データを記録再生する。
【００１７】
図１のビデオカメラは、プログラムフラッシュメモリ１１０内に圧縮されて記憶されたプログラムをプログラムメモリ１０９上に展開し、ＣＰＵ１０８がプログラムメモリ１０９内のプログラムに従って動作することで、以後説明する各種の制御動作を行う。
【００１８】
操作スイッチ１０４により電源が投入されると、撮像部１０１２より撮影された被写体像は画像信号としてカメラ信号処理部１０２に出力され、標準的な画像信号になるように信号処理された後、標準的なデジタル動画像データとして画像メモリ１０３に一時的に蓄積されると同時に、ディスプレイ１０５へと送られ、現在撮像中の動画像が表示される（撮影待機状態）。
【００１９】
この撮影待機状態で、操作スイッチ１０４に含まれる撮影ボタンを押すことで撮影が開始される。撮影が開始されると、画像メモリ１０３に一時的に蓄積された動画像データは画像処理部１０６にてＭＰＥＧ方式の圧縮符号化処理が施され、再び画像メモリ１０３に書き込まれる。そして、ディスクＩ／Ｆ１０７により所定のタイミングで読み出されてディスクＤに記録される。その後、操作スイッチ１０４に含まれる撮影ボタンが再度押されるとディスクＤに対する動画像データの記録を終了する。この様に記録開始の指示から記録停止の指示までの間にディスクＤに記録した一連の動画像データを一つのファイル（クリップ）として管理する。
【００２０】
一方、上述の撮影待機状態で、操作スイッチ１０５に含まれるレックレビューボタンを操作することで、レビュー再生が開始される。
【００２１】
このとき、撮像部１０１による撮影動作はそのまま続けられるが、ディスプレイ１０５には撮像部１０１からの被写体像に代えて、後述の如くディスクＤに直前に記録された動画像が再生されて表示される。
【００２２】
ディスクＩ／Ｆ１０７は、ＣＰＵ１０８の指示に従ってディスクＤから動画像データを再生して画像メモリ１０３に書き込む。画像処理部１０６は画像メモリ１０３に書き込まれた動画像データを復号して再び画像メモリ１０３に書き込む。そして、画像メモリ１０３に書き込まれた再生動画像データがディスプレイ１０５に送られて、再生画像が表示される。
【００２３】
図２は、本実施形態におけるレビュー再生動作を説明する図である。
【００２４】
図２は、直前に撮影した動画クリップ（直前撮影動画）の記録時の時間経過とレビュー時に再生する動画（レックレビュー動画）の再生経過時間を表す図である。
【００２５】
図２の（ａ）〜（ｃ）に示した直前撮影動画は、左端が記録開始タイミングで右端が記録終了タイミングを示している。また、Ａ区間は最後に記録された部分、Ｂ区間はＡ区間より前に記録された部分で、Ｂ区間より前の部分はＣ区間としている。また、各区間での記録時間をそれぞれＴＡ、ＴＢ、ＴＣとする。本形態では、ＴＡ≦ｎ秒、ＴＢ≦ｍ秒（ｎ＜ｍ）として、それぞれ記録時間長に応じてｎ秒以下、ｍ秒以下で可変である。本形態では、ＴＡ≦２秒、ＴＢ≦４８０秒とし、記録時間長が２秒以下の場合にはＡ区間しか存在せずその長さＴＡは２秒以下となる。
【００２６】
図２（ａ）は直前撮影動画の記録時間長が１１秒の場合の例で、ＴＡ＝２秒、ＴＢ＝９秒である。この動画を図３の再生規則に基づいてレビュー再生した場合、Ｂ区間を３倍速で再生し、Ａ区間を１倍速で再生することになる。その結果、トータル５秒の動画として再生する。
【００２７】
また、図２（ｂ）は直前撮影動画の記録時間長が１４秒の場合の例で、ＴＡ＝２秒、ＴＢ＝１２秒である。この動画を図３の再生規則に基づいてレビュー再生した場合、Ｂ区間を３倍速で再生し、Ａ区間を１倍速で再生することになる。その結果、トータル６秒の動画として再生する。
【００２８】
更に、図２（ｃ）は直前撮影動画の記録時間長が６３２秒の場合の例で、ＴＡ＝２秒、ＴＢ＝４８０秒、ＴＣ＝１５０秒である。この動画を図３の再生規則に基づいてレビュー再生した場合、Ｂ区間を１２０倍速で再生し、Ａ区間を１倍速で再生することになる。その結果、トータル６秒の動画として再生する。この場合、Ｃ区間の１５０秒分は再生しない。
【００２９】
本実施形態のレビュー動画の再生規則を図３に示す。
【００３０】
直前撮影動画の記録時間長Ｔが２秒以下の場合は、Ａ区間（Ａ区間の再生時間ＴＡは２秒以下）のみが存在し、Ａ区間を１倍速で再生することで、レビュー再生時間ｔは２秒以下になる。
【００３１】
また、記録時間長Ｔが６秒以下の場合は、Ｂ区間（Ｂ区間の再生時間ＴＢは４秒以下）を１倍速で再生し、Ａ区間（ＴＡは２秒）も１倍速で再生することにより、レビュー再生時間ｔは６秒以下になる。図２（ａ）はこの状態に該当する。
【００３２】
また、記録時間長Ｔが１４秒以下で６秒より大きい場合、Ｂ区間（ＴＢは１２秒以下）を３倍速で再生し、Ａ区間（ＴＡは２秒）は１倍速で再生することで、レビュー時間ｔは３．３秒より大きく６秒以下になる。図２（ｂ）はこの状態に該当する。
【００３３】
また、記録時間長Ｔが４２秒以下で１４秒より大きい場合、Ｂ区間（ＴＢは４０秒以下）を１０倍速で再生し、Ａ区間（ＴＡは２秒）を１倍速で再生することで、レビュー時間ｔは３．２秒より大きく６秒以下になる。また、記録時間長Ｔが１２２秒以下で４２秒より大きい場合、Ｂ区間（ＴＢは１２０秒以下）を３０倍速で再生し、Ａ区間（ＴＡは２秒）を１倍速で再生することで、レビュー時間ｔは３．３秒より大きく６秒以下になる。また、記録時間長Ｔが４８２秒以下で１２２秒より大きい場合、Ｂ区間（ＴＢは４８０秒以下）を１２０倍速で再生し、Ａ区間（ＴＡは２秒）を１倍速で再生することで、レビュー時間ｔは３秒より大きく６秒以下になる。
【００３４】
また、直前撮影動画の記録時間長Ｔが４８２秒より大きい場合、４８２秒以前の動画像は再生せず、Ｂ区間（ＴＢは４８０秒）を１２０倍速で再生し、Ａ区間（ＴＡは２秒）を１倍速で再生することで、レックレビュー時間ｔは６秒ちょうどになる。図２（ｃ）はこの状態に該当する。
【００３５】
図４は、図２（ａ）の状態でのレビュー再生の様子を示す図である。
【００３６】
直前撮影動画のうち、始めの９秒は３倍速で再生される。前述の様に、直前撮影動画はＭＰＥＧ方式で符号化されており、再生画像においてＩピクチャ、Ｂピクチャ、Ｂピクチャ、Ｐピクチャ・・・の順に並んでいる。ここでは３倍速で再生するので、ＩフレームとＰフレームのみを抜き出して再生する。次に、最後の２秒間は１倍速での再生なので全てのフレームを再生する。なお、図示されていないが、１０倍速や３０倍速、１２０倍速は、Ｉフレームのみを抜き出して、さらに速度に応じてＩフレームの間引きを行うことで実現する。
【００３７】
図５、図６は撮影モード及びレックレビュー再生時におけるＣＰＵ１０８の制御動作を示すフローチャートである。図５は撮影モード時の動作を示し、図６はレックレビュー再生の詳細な動作を示すフローチャートである。
【００３８】
まず、図５を用いて撮影モード時の処理を説明する。
【００３９】
電源が投入され、撮影モードの指示があると、前述の如く撮像部１０１により得られた被写体像をディスプレイ１０５に表示し（Ｓ５０１）、記録待機状態となる（Ｓ５０２）。そして、撮影ボタンが操作され撮影開始の指示があると（Ｓ５０３）、前述の如くディスクＤに対する動画像データの記録を開始する（Ｓ５０５）。その後、再び撮影ボタンが操作されて撮影停止の指示があると（Ｓ５０５）、ディスクＤに対する動画像データの記録を停止し（Ｓ５０６）、撮影モード終了の指示がない場合には再び記録待機状態となる（Ｓ５０７）。また、撮影モード終了の指示があると撮影モードの処理を終了する。
【００４０】
一方、Ｓ５０３において撮影指示がない場合、レックレビューボタンが操作されてレビュー再生の指示があったか否かを判別し（Ｓ５０８）、指示がない場合には再びＳ５０２に戻る。また、レビュー再生の指示があった場合、後述の如くレビュー再生処理を実行し（Ｓ５０９）、レビュー再生終了後、撮像部１０１からの画像を再びディスプレイ１０５に表示して記録待機状態となる（Ｓ５１０）。
【００４１】
次に、図６のフローチャートを用いてＳ５０９のレビュー再生処理について説明する。
【００４２】
レビュー再生指示があると、まず、直前に撮影された動画像データの記録時間長を検出する（Ｓ６０１）。具体的には、ディスクＤに記録された管理情報を再生し、この管理情報より直前に記録された動画像データの記録時間長を検出する。
【００４３】
そして、直前撮影動画の記録時間が６秒以下か否かを判別し（Ｓ６０２）、６秒以下ならば前述のＢ区間の再生速度を１倍速に設定する（Ｓ６０３）。また、６秒以下でない場合、更に１４秒以下か否かを判別し（Ｓ６０４）、１４秒以下ならばＢ区間の再生速度を３倍速に設定する（Ｓ６０５）。また、１４秒以下で無い場合、記録時間長が４２秒以下か否かを判別し（Ｓ６０６）、４２秒以下ならばＢ区間の再生速度を１０倍速に設定する（Ｓ６０７）。また、４２秒以下でない場合、記録時間長が１２２秒以下か否かを判別し（Ｓ６０８）、１２２秒以下ならばＢ区間の再生速度を３０倍速に設定する（Ｓ６０９）。また、記録時間長が１２２秒以下で無い場合、４８２秒以下か否かを判別し（Ｓ６１０）、４８２秒以下ならばＢ区間の再生速度を１２０倍速に設定する（Ｓ６１１）。また、記録時間長が４８２秒以下で無い場合、記録停止位置より４８２秒以前は再生を禁止すると共に、Ｂ区間の再生速度を１２０倍速に設定する（Ｓ６１２）。
【００４４】
このように直前撮影動画の記録時間長に応じてＢ区間の再生速度を設定した後、直前撮影動画データのうち、指定された区間のデータを設定した速度で再生開始する（Ｓ６１３）。そして、動画データの再生位置が最後の２秒以内になったか否かを判別し（Ｓ６１４）、最後の２秒以内で無い場合、レックレビューボタンが操作されたか否かを判別する（Ｓ６１９）。レックレビューボタンが操作された場合、Ｂ区間をスキップするためにＳ６１５へと進む。また、レックレビューボタンが操作されていないならば、そのままＢ区間を設定された速度で再生しながらＳ６１４に戻る。
【００４５】
また、Ｓ６１４で最後の２秒以内になった場合、或いは、Ｓ６１９においてＢ区間再生中にレビューボタンが操作された場合、Ａ区間のデータを１倍速で再生する（Ｓ６１５）。そして、Ａ区間を１倍速で再生しながらレックレビューボタンが操作されたか否かを判別し（Ｓ６１６）、レックレビューボタンが操作されたならば、レックレビュー動作を停止する（Ｓ６１７）。また、レビューボタンが操作されていない場合、Ａ区間の再生が終了したか否かを判別し（Ｓ６１７）、終了していない場合にはＳ６１５に戻りＡ区間の再生を続ける。
【００４６】
以上説明したように、本実施形態においては、直前に撮影された動画像を再生するレビューモードにおいて、直前の動画クリップを記録停止位置近傍の区間（Ａ区間）とそれ以前の所定期間内の区間（Ｂ区間）、及び更にそれより前の区間（Ｃ区間）とに分け、記録停止位置近傍のＡ区間については１倍速で再生すると共に、その前のＢ区間については、記録時間長が長いほど再生速度を速く設定してレビュー再生を実行することにより、直前に撮影された動画クリップの記録時間長に拘らず、簡単な操作で、短い再生時間にて、直前に撮影した動画クリップの内容を確認可能となる。
【００４７】
次に、第２の実施形態を説明する。本実施形態では、レビュー再生時の処理が前述の実施形態とは異なる。
【００４８】
図７は、第２実施形態におけるレビュー再生の様子を示す図である。
【００４９】
図７（ａ）、（ｂ）は、図２と同様、直前に撮影した動画クリップの記録時の時間経過とレックレビューを行う時に再生する動画の再生経過時間を示している。
【００５０】
図７において、Ａ区間は最後に記録された部分、Ｂ区間はＡ区間より前に記録された部分、Ｃ区間はＢ区間以前に記録された部分、Ｃ区間以前が存在する場合はＤ区間となる。前述の実施形態では、記録時間長が４８２秒よりも長い場合には、４８２秒より前の区間をＣ区間としてレビュー再生時には再生していなかったが、本形態では、Ａ区間の前の区間としてそれぞれ２４０秒以内のＢ区間とＣ区間とを設け、これらＢ区間とＣ区間の両方を再生すると共に、直前撮影動画の記録時間長に応じてＢ区間とＣ区間の長さを変更している。
【００５１】
本形態では、ＴＡ≦ｎ秒、ＴＢ≦ｍ秒、ＴＣ≦ｍ秒（ｎ＜ｍ）として、それぞれ記録時間長に応じて可変である。例えば、本形態では、ＴＡ≦２秒、ＴＢ≦２４０秒、ＴＣ≦２４０秒とした。記録時間長が２秒以下の動画の場合は、Ａ区間のみしか存在せずその長さは２秒以下で可変である。また、記録時間長が４８２秒を超える場合には、それ以前の期間は再生しない。
【００５２】
図７（ａ）は、直前撮影動画の記録時間長が２８秒の場合で、図８の再生規則に従い、ＴＡ＝２秒、ＴＢ＝６秒、ＴＣ＝２０秒とした。そして、レビュー再生時には、Ｃ区間を１０倍速で再生し、Ｂ区間を３倍速で再生し、Ａ区間を１倍速で再生することで、トータル６秒の動画として再生する。
【００５３】
また、図７（ｂ）は、直前撮影動画の時間長が５０２秒の場合の例で、ＴＡ＝２秒、ＴＢ＝２４０秒、ＴＣ＝２４０秒、ＴＤ＝２０秒とした。そして、レビュー再生時には、Ｃ区間を１２０倍速で再生し、Ｂ区間を１２０倍速で再生し、Ａ区間を１倍速で再生することで、トータル６秒の動画として再生する。この場合、直前撮影動画のＤ区間の２０秒分は再生しない。
【００５４】
本実施形態のレビュー再生の再生規則を図８に示す。
【００５５】
図８に示す規則では、直前撮影動画の記録時間が２秒以下の場合はＡ区間のみが存在し、Ａ区間を１倍速で再生することによりレビュー再生時間ｔは２秒以下になる。直前撮影動画の記録時間長が２秒より大きく４秒以下の場合、ＴＢ≦２秒としてＢ区間を１倍速で再生し、Ａ区間も１倍速で再生することによりレビュー再生時間ｔは２秒以下になる。
【００５６】
また、直前撮影動画の記録時間長が６秒以下の場合は、ＴＣ≦２秒としてＣ区間を１倍速で再生し、ＴＢ＝２秒、ＴＡ＝２秒としてＢ区間とＡ区間も１倍速で再生することにより、レビュー時間ｔは６秒以下になる。直前撮影動画の記録時間長Ｔが１０秒以下で６秒より大きい場合は、ＴＣ≦６秒としてＣ区間を３倍速で再生し、ＴＢ＝２秒、ＴＡ＝２秒としてＢ区間もＡ区間も１倍速で再生することで、レックレビュー時間ｔは４．７秒より大きく６秒以下になる。
【００５７】
また、直前撮影動画の記録時間長Ｔが１４秒以下で１０秒より大きい場合、ＴＣ≦６秒としてＣ区間を３倍速で再生し、ＴＢ＝６秒としてＢ区間も３倍速で再生し、ＴＡ＝２秒としてＡ区間を１倍速で再生することで、レビュー時間ｔは４．７秒より大きく６秒以下になる。直前撮影動画の記録時間長Ｔが２８秒以下で１４秒より大きい場合は、ＴＣ≦２０秒としてＣ区間を１０倍速で再生し、ＴＢ＝６秒としてＢ区間を３倍速で再生し、ＴＡ＝２秒としてＡ区間を１倍速で再生することでレックレビュー時間ｔは４．６秒より大きく６秒以下になる。図７（ａ）はこの状態に該当する。
【００５８】
また、直前撮影動画の記録時間長Ｔが４２秒以下で２８秒より大きい場合、ＴＣ≦２０秒とし、ＴＢ＝２０秒としてＣ区間とＢ区間をそれぞれ１０倍速で再生し、ＴＡ＝２秒としてＡ区間を１倍速で再生することでレックレビュー時間ｔは４．６秒より大きく６秒以下になる。直前撮影動画の記録時間長Ｔが８２秒以下で４２秒より大きい場合、ＴＣ≦６０秒としてＣ区間を３０倍速で再生し、ＴＢ＝２０秒としてＢ区間を１０倍速で再生し、ＴＡ＝２秒としてＡ区間を１倍速で再生することでレックレビュー時間ｔは４．７秒より大きく６秒以下になる。
【００５９】
また、直前撮影動画の記録時間長Ｔが１２２秒以下で８２秒より大きい場合、ＴＣ≦６０秒とし、ＴＢ＝６０秒として、Ｂ区間とＣ区間をそれぞれ３０倍速で再生し、ＴＡ＝２秒としてＡ区間を１倍速で再生することで、レックレビュー時間ｔは４．７秒より大きく６秒以下になる。直前撮影動画の記録時間長Ｔが３０２秒以下で１２２秒より大きい場合、ＴＣ≦２４０秒としてＣ区間を１２０倍速で再生し、ＴＢ＝６０としてＢ区間を３０倍速で再生し、ＴＡ＝２としてＡ区間を１倍速で再生することで、レックレビュー時間ｔは４．５秒より大きく６秒以下になる。
【００６０】
また、直前撮影動画の記録時間長Ｔが４８２秒以下で３０２秒より大きい場合、ＴＣ≦２４０秒とし、ＴＢ＝２４０秒としてＢ区間とＣ区間を１２０倍速で再生し、ＴＡ＝２秒としてＡ区間を１倍速で再生することで、レックレビュー時間ｔは４．５秒より大きく６秒以下になる。直前撮影動画の記録時間長Ｔが４８２秒より大きい場合、４８２秒以前のＤ区間の再生を行わず、ＴＣ＝２４０秒、ＴＢ＝２４０秒としてＢ区間とＣ区間を１２０倍速で再生し、ＴＡ＝２秒Ａ区間は１倍速で再生することで、レックレビュー時間ｔは６秒ちょうどになる。図７（ｂ）はこの状態に該当する。
【００６１】
この様に、本形態では、直前の撮影動画像クリップを記録停止位置よりＡ区間、Ｂ区間、Ｃ区間の三つの区間に分け、記録停止位置に近いＡ区間を一定の期間として１倍速で再生すると共に、Ｂ、Ｃ区間については記録時間長に応じて所定の期間までの間で変更すると共にその再生速度も記録時間長に応じて決定することで、簡単な操作で、短い再生時間にて、直前に撮影した動画クリップの内容を確認可能となる。
【００６２】
次に、第３の実施形態を説明する。
【００６３】
本実施形態では、レビュー再生時において、直前の撮影動画クリップのうち、記録開始近傍部分と記録停止近傍部分をそれぞれ１倍速で再生すると共に、その間の区間については記録時間長に応じて再生速度を変更している。
【００６４】
図９は、第３の実施形態におけるレビュー再生の様子を示す図である。
【００６５】
図９（ａ）、（ｂ）は、図２、図７と同様、直前に撮影した動画クリップの記録時の時間経過とレックレビューを行う時に再生する動画の再生経過時間を示している。
【００６６】
図９において、Ａ区間は最後に記録された部分、Ｂ区間はＡ区間より前に記録された部分、Ｃ区間は記録開始部分である。
【００６７】
本形態では、ＴＡ≦ｎ秒、ＴＢ≦ｍ秒、ＴＣ≦ｎ秒（ｎ＜ｍ）として、それぞれ記録時間長に応じて可変である。更に、動画像の記録時間長が２ｎ＋ｍ秒を超える場合、Ｂ区間の中間部分にＤ区間を設ける。この場合のＤ区間の長さＴＤはｘ秒以下で可変となる。また、Ｂ区間の前半部分と後半部分をそれぞれＢ１区間、Ｂ２区間とし、その長さは、ＴＢ１＋ＴＢ２＝ｍ秒となる。
【００６８】
例えば、本形態では、ＴＡ≦２秒、ＴＣ≦２秒、ＴＢ≦２４０秒とした。直前撮影動画の記録時間長Ｔが２４４秒を超える場合は、ＴＤ＝Ｔ−２４４秒で可変である。この場合、ＴＢ１＝ＴＢ２＝１２０秒とした。また、記録時間長が２秒以下の場合Ａ区間のみしか存在せず、そのＴＡは可変であり、また、記録時間長Ｔが４秒以下の場合は、Ａ区間とＣ区間のみしか存在せず、その長さＴＡが２秒であり、ＴＣは２秒以内で可変である。
【００６９】
図９（ａ）は直前撮影動画の記録時間長が９４秒の場合の例で、ＴＡ＝２秒、ＴＢ＝９０秒、ＴＣ＝２秒である。この動画を図１０の再生規則に基づいて再生すると、Ｃ区間を１倍速で再生し、Ｂ区間を１２０倍速で再生し、Ａ区間を１倍速で再生することでトータル６秒の動画として再生する。
【００７０】
また、図９（ｂ）は直前撮影動画の記録時間長が２６４秒の場合の例で、ＴＡ＝２秒、ＴＢ１＝１２０秒、ＴＢ２＝１２０秒、ＴＣ＝２秒、ＴＤ＝２０秒である。この動画を図１０の再生規則に基づいて再生すると、Ｃ区間を１倍速で再生し、Ｂ１区間、Ｂ２区間を１２０倍速で再生し、Ａ区間を１倍速で再生することで、トータル６秒の動画として再生する。この場合、Ｄ区間の２０秒分は再生しない。
【００７１】
本実施形態のレックレビュー時の再生規則を図１０に示す。
【００７２】
直前撮影動画の記録時間長が２秒以下の場合は、Ａ区間のみが存在し、Ａ区間を１倍速で再生することによりレビュー時間ｔは２秒以下になる。直前撮影動画の記録時間長が２秒より大きく４秒以下の場合は、ＴＣ≦２秒としてＣ区間を１倍速で再生し、ＴＡ＝２秒としてＡ区間も１倍速で再生することにより、レックレビュー時間ｔは４秒以下になる。
【００７３】
また、直前撮影動画の記録時間長が６秒以下で４秒より大きい場合は、ＴＣ＝２秒、ＴＢ≦２秒、ＴＡ＝２秒とし、各区間を１倍速で再生することにより、レックレビュー時間ｔは６秒以下になる。直前撮影動画の記録時間長Ｔが１０秒以下で６秒より大きい場合、ＴＣ＝２秒、ＴＡ＝２秒としてＣ区間とＡ区間を１倍速で再生し、ＴＢ≦６としてＢ区間を３倍速で再生することにより、レックレビュー時間ｔは４．７秒より大きく６秒以下になる。
【００７４】
また、直前撮影動画の記録時間長Ｔが２４秒以下で１０秒より大きい場合、ＴＣ＝２秒、ＴＡ＝２秒としてＣ区間とＡ区間を１倍速で再生し、ＴＢ≦２０としてＢ区間を１０倍速で再生することにより、レックレビュー時間ｔは、４．６秒より大きく６秒以下になる。直前撮影動画の記録時間長Ｔが６４秒以下で２４秒より大きい場合、ＴＣ＝２秒、ＴＡ＝２秒としてＣ区間とＡ区間を１倍速で再生し、ＴＢ≦６０としてＢ区間を３０倍速で再生することにより、レックレビュー時間ｔは４．７秒より大きく６秒以下になる。図９（ａ）はこの状態に該当する。
【００７５】
また、直前撮影動画の記録時間長Ｔが、２４４秒以下で６４秒より大きい場合、ＴＣ＝２秒、ＴＡ＝２秒としてＣ区間とＡ区間を１倍速で再生し、ＴＢ≦２４０としてＢ区間を１２０倍速で再生することにより、レックレビュー時間ｔは４．５秒より大きく６秒以下になる。直前撮影動画の記録時間長Ｔが２４４秒より大きい場合、Ｄ区間の再生を行わず、ＴＣ＝２秒、ＴＡ＝２秒としてＣ区間とＡ区間を１倍速で再生し、ＴＢ１＝１２０秒、ＴＢ２＝１２０秒としてＢ１区間とＢ２区間を１２０倍速で再生することで、レックレビュー時間ｔは６秒ちょうどになる。図１０（ｂ）はこの状態に該当する。
【００７６】
以上説明したように、本実施形態によれば、レビュー再生時に、直前に撮影した動画クリップの記録開始部分と記録停止部分及びその他の部分に分け、記録開始部分と記録停止部分は１倍速で再生すると共に、その他の部分は記録時官庁に応じた速度で高速に再生することで、簡単な操作で、短い再生時間にて、直前に撮影した動画クリップの内容を確認可能となる。
【００７７】
なお、前述の各実施形態にて設定した再生時間長やレビュー再生時のＡ区間〜Ｄ区間の各時間長は、他の値を設定することも可能であり、また、再生区間の分割数などもこれよりも多くても構わないし、少なくても構わない。
【図面の簡単な説明】
【００７８】
【図１】本発明を適用したビデオカメラの構成を示す図である。
【図２】レビュー再生時の動画像の様子を示す図である。
【図３】レビュー再生時の再生規則を示す図である。
【図４】レビュー再生時の動画像の様子を示す図である。
【図５】撮影モードの処理を示すフローチャートである。
【図６】レビュー再生時の処理を示すフローチャートである。
【図７】レビュー再生時の動画像の様子を示す図である。
【図８】レビュー再生時の再生規則を示す図である。
【図９】レビュー再生時の動画像の様子を示す図である。
【図１０】レビュー再生時の再生規則を示す図である。
【図１】
2006121583.tif 000003
【図２】
2006121583.tif 000004
【図３】
2006121583.tif 000005
【図４】
2006121583.tif 000006
【図５】
2006121583.tif 000007
【図６】
2006121583.tif 000008
【図７】
2006121583.tif 000009
【図８】
2006121583.tif 000010
【図９】
2006121583.tif 000011
【図１０】
2006121583.tif 000012